(57)【要約】
【課題】　犬、猫類愛玩動物を一時的に預けたり、宿泊させるのに便利で、衛生的で安全であるので、飼い主は安心して利用できる。預けている間の糞尿の処理、汚れたタオル等の洗浄と殺菌の処理も行うことができる。
【解決手段】　建屋１内に設置した洗浄・殺菌用シンク１１と糞尿処理槽１３の奥には、複数の動物収容ケージ２１が上下２段に列設してある。各動物収容ケージ２１は前方が開放した箱型に形成してあり、内部には引出状トレー２３が挿脱可能に配置してある。動物収容ケージ２１の内側には通気性扉２４が片開き式に設けてあり、前面には観音開き式の外扉が設けてある。外扉の下方は開口して動物収容ケージ２１内に外気を導入する通気口になっている。建屋１には各動物収容ケージ２１毎に換気扇２９が設けて臭気対策が採られている。
【選択図】　図２
0003099635.tif 000002
【実用新案登録請求の範囲】
【請求項１】
　建屋と、該建屋内に設置した複数の動物収容ケージと、前記建屋に設けられ、該各動物収容ケージ毎に換気を行う換気装置とからなり、前記複数の動物収容ケージの各々は、前面が開放したケージ本体と、該ケージ本体に前方から挿脱可能に設けた引出し状トレーと、前記ケージ本体の前方内側に開閉可能に設けた通気型内扉と、該通気型内扉から前方に離間して前記ケージ本体に開閉可能に設けられ、下方に前記ケージ本体内に連通する通気口を形成する外扉とから構成してなる犬猫類愛玩動物預り用施設。
【請求項２】
　前記建屋は、内装材に吸音材を用いていることを特徴とする請求項１記載の犬猫類愛玩動物預り用施設。
【請求項３】
　前記建屋は、移動可能であることを特徴とする請求項１記載の犬猫類愛玩動物預り用施設。
【請求項４】
　前記建屋は、入口側に洗浄・殺菌用シンク及び糞尿処理槽を配置し、奥側に前記複数の動物収容ケージを列設した構成にしたことを特徴とする請求項１、２又は３記載の犬猫類愛玩動物預り用施設。
【請求項５】
　前記糞尿処理槽は、前記建屋に設けた開口部を介して外側から出し入れ可能にしてあることを特徴とする請求項４記載の犬猫類愛玩動物預り用施設。
【請求項６】
　前記複数の動物収容ケージは、横方向に複数個列設して上下二段に積層してあることを特徴とする請求項１又は２記載の犬猫類愛玩動物預り用施設。
　
　
　
　
【考案の詳細な説明】
【技術分野】
【０００１】
　本考案は、犬や猫等の愛玩動物を一時的に預けたり、或は宿泊させるのに用いて好適な犬猫類愛玩動物預り用施設に関する。
【背景技術】
【０００２】
　犬猫類の愛玩動物（以下、愛玩動物と称する。）の飼い主は旅行に出かける場合、家族の一員として愛玩動物を一緒に連れて行くことを望むものである。この場合問題になるのが、旅先で愛玩動物を一時的に預けたり、宿泊さたりすることができる施設の有無である。宿泊施設によっては動物の持ち込みを禁止している所もあるし、屋外に動物小屋を設置している所もあるが、衛生面や安全面で飼い主が安心できるものではないのが現状である。この種の施設としては、排泄物の速やかな処理と臭気の除去を図ったものがある（例えば、特許文献１参照。）。
【０００３】
　該実用新案公報には、犬猫等のペット宿泊施設に関する考案で、コンテナー１内にペット収容ケージ２を設け、コンテナー１には脱臭装置を設け、ペット収容ケージ２には漏水センサー２１を設けることにより、犬、猫の愛玩動物の放尿を関知して速やかに排泄物の要処理を通報できるようにすると共に臭気を除去して外界に放出できるようにして良好な生活環境が維持できるようにしたものが開示されている。
【特許文献１】実公平５−１２５６号公報
【考案の開示】
【考案が解決しようとする課題】
【０００４】
　上述した従来技術は、臭気や排泄の問題を相応に解決することができるものではあるが、愛玩動物を一時的に預けたり、或は宿泊させる利用方法については開示されていないし、コンテナー１は組み立て型なのか、任意の場所に移動できる可搬型なのかについて何ら開示するものではない。更に、排泄物をその場で処理する手段は設けてないという未解決の問題がある。
【０００５】
　本考案は、愛玩動物を一時的に預けたり、或は宿泊させるのに便利であり、しかも衛生的かつ安全なので飼い主は安心して利用することができる犬猫類愛玩動物預り用施設を提供することを目的とする。また、愛玩動物を預けることにより生じる糞尿の処理や、汚染物の洗浄が可能な設備を備えているので利便性に優れている犬猫類愛玩動物預り用施設を提供することを目的とする。更に、移動可能であるので、定置型の施設のように用地確保の問題、建築条件の具備、相応の建築費用の負担といった問題も解消できるし、イベント会場や観光地に一時的に設置するといった多様な使用ができる犬猫類愛玩動物預り用施設を提供することを目的とする。
【課題を解決するための手段】
【０００６】
　上述した課題を解決するために構成された本考案の手段は、建屋と、該建屋内に設置した複数の動物収容ケージと、前記建屋に設けられ、該各動物収容ケージ毎に換気を行う換気装置とからなり、前記複数の動物収容ケージの各々は、前面が開放したケージ本体と、該ケージ本体に前方から挿脱可能に設けた引出し状トレーと、前記ケージ本体の前方内側に開閉可能に設けた通気型内扉と、該通気型内扉から前方に離間して前記ケージ本体に開閉可能に設けられ、下方に前記ケージ本体内に連通する通気口を形成する外扉とからなる。
【０００７】
　そして、前記建屋は、内装材に吸音材を用いるとよい。こうすることにより、愛玩動物の鳴声により近隣が迷惑を受ける事態を解決することができる。
【０００８】
　また、前記建屋は、移動可能に構成するとよい。
【０００９】
　また、前記建屋は、入口側に洗浄・殺菌用シンク及び糞尿処理槽を配置し、奥側に前記複数の動物収容ケージを列設した構成にするとよい。
【００１０】
　そして、前記糞尿処理槽は、前記建屋に設けた開口部を介して外側から出し入れ可能にするとよい。
【００１１】
　更に、前記複数の動物収容ケージは、横方向に複数個列設して上下二段に積層した構成にするとよい。
【考案の効果】
【００１２】
　本考案は以上詳述した構成にすることにより、下記の諸効果を奏する。
（１）複数の動物収容ケージは建屋内に設置し、各動物収容ケージは前面が開放したケージ本体と、前方から挿脱可能に設けた引出し状トレーと、ケージ本体の前方内側に開閉可能に設けた通気型内扉と、該通気型内扉から前方に離間して前記ケージ本体に開閉可能に設けられ、下方に前記ケージ本体内に連通する通気口を形成する外扉とから構成することにより、通気性に優れていると共に各動物収容ケージに換気装置を設けてあるから、臭いに鋭敏な愛玩動物にとって快適である。愛玩動物は引出し状トレーに収容するので排泄物の処理が容易であるし、衛生的である。そして、愛玩動物は各々の動物収容ケージに収容するから、飼い主は安心して預けることができる。
（２）建屋は、内装材に吸音材を用いることにより、犬、猫の鳴声が屋外に漏えいするのを可及的に防止して近隣に迷惑を掛ける事態を解決してある。
（３）建屋は移動可能に構成したから、観光シーズンのホテル等の宿泊施設や、屋外のイベント会場等のように常設でない一時的な施設として必要に対応することができる。勿論、常設の施設として使用することも可能である。
（４）建屋は、入口側に洗浄・殺菌用シンク及び糞尿処理槽を配置し、奥側に複数の動物収容ケージを列設した構成にしたから、収容する愛玩動物は人の出入りによる喧騒から可及的に隔離してストレスを与えるのを防止できるし、動物収容ケージから取り出した排泄物や汚れたタオル等の処理作業を無駄なく行うことができる。
（５）糞尿処理槽は、建屋に設けた開口部を介して外側から出し入れすることができる構成にしたから、糞尿処理槽の交換作業を容易に、効率よく行うことができる。
（６）複数の動物収容ケージは、横方向に複数個列設して上下二段に積層した構成にすることにより、多くの愛玩動物を収容可能にしながら建屋の設置面積を小さくすることができるから、広狭種々の設置場所に対応することができる。
【考案を実施するための最良の形態】
【００１３】
　以下、本考案の実施の形態を図面に基づき詳述する。図において、１は組立式プレハブ構造からなる建屋を示し、該建屋１は長方形の床パネル２、採光用窓３Ａが設けてある前壁パネル３、後述する糞尿処理槽１３を屋外に出し入れするための開口部４Ａと扉４Ｂが設けてある後壁パネル４、出入り口５Ａが設けてある左壁パネル５、該左壁パネル５に対面する右壁パネル６及び屋根板７とから構成してあり、出入り口５Ａには引き戸８が設けてある。そして、建屋１内は出入り口９Ａが設けてある仕切パネル９によって作業室１Ａと動物収容室１Ｂに画成してあり、該仕切パネル９には作業室１Ａと動物収容室１Ｂを開閉可能に仕切るドア１０が設けてある。そして、上述した建屋１は内装材に吸音材を用いることにより、犬、猫の鳴き声が屋外が洩れるのを可及的に防止している。
【００１４】
　１１は前記作業室１Ａに設置した洗浄・殺菌用シンクで、該洗浄・殺菌用シンク１１は愛玩動物の敷物に用いたタオルや愛玩動物の洗浄に用いたタオル等を洗浄し、また殺菌する作業を行うためのもので、屋外の水道管と接続可能な水栓設備１２が設けてある。
【００１５】
　１３は愛玩動物の排泄物を処理するために作業室１Ａに設置した糞尿処理槽を示す。１４は該糞尿処理槽１３を構成する金属製或は合成樹脂製の外箱で、該外箱１４は上方が開放した有底の角型箱体に形成してあり、下部にはキャスター１５、１５、・・が設けてある。１６は該外箱１４内に挿脱可能に設けた合成樹脂製の処理槽本体で、該処理槽本体１６は上方が投入口１６Ａになった有底の角型箱体からなり、該投入口１６Ａの略半分を覆う天板１６Ｂには蓋体１６Ｃが開閉可能に枢支してあり、上端両側には吊り金具１６Ｄ、１６Ｄが設けてある。そして、処理槽本体１６内には、ゼオライト、籾殻及び／又はオガクズ、好気性微生物を混合した分解物が容積の約３分の１まで投入してある。そして、処理槽本体１６内に投入された糞尿は微生物の働きにより順次分解することにより臭の発生も抑制することができるし、時間の経過により略完全に分解することができる。１７は処理槽本体１６の臭気を屋外に排出するための臭気抜き筒で、該臭気抜き筒１７は基端を前記天板１６Ｂに着脱可能に接続し、中間から先端側は扉４Ｂから屋外に導出してあり、上端には換気扇１７Ａが設けてある。
【００１６】
　２１、２１、・・・は建屋１の動物収容室１Ｂに後壁パネル４に沿って上下２段に列設した複数の動物収容ケージを示す。２２は後述する収納庫２７（２８）と一体に該各動物収容ケージ２１を構成するケージ枠体で、該ケージ枠体２２は後壁パネル４に沿って立設した後板２２Ａ、所定の間隔で動物収容室１Ｂに立設した７枚の縦仕切板２２Ｂ、２２Ｂ、・・・と、該縦仕切板２２Ｂに直交する状態で配設した下板２２Ｃ、上板２２Ｄ及び２枚の中間板２２Ｅ、２２Ｆとによって１段を６室として下側上下２段に画成してある。
【００１７】
　２３は前記ケージ枠体２２によって画成された複数の動物収容ケージ２１、２１の各々に前方から挿脱可能に配置した引出状トレーを示す。該引出状トレー２３はケージ枠体２２の奥行きより短く設定した四角形の底板２３Ａと、該底板２３Ａの四辺から起立した側板２３Ｂ、２３Ｃ、２３Ｄ、２３Ｅとから上方が開放した浅底の容器状に形成してある。２４は前記引出状トレー２３の側板２３Ｂ上方に位置してケージ枠体２２に横方向に回動可能に枢支した片開き式の通気性扉を示し、該通気性扉２４は棒材により形成した四角形の枠体内に複数本の縦桟を連結した構成からなっている。
【００１８】
　２５は前記通気性扉２４から前方に離間してケージ枠体２２の前面側に設けた鍵付きの外扉で、該外扉２５は縦方向寸法を若干短く設定した２枚の透明の合成樹脂製の扉本体２５Ａ、２５Ａにより観音開き式に構成してあり、該外扉２５の下方にケージ枠体２２内に連通する通気口２６が形成してある。このように、動物収容ケージ２１は内側に通気性扉２４を設け、通気口２６により通気性を確保しながら外側に遮蔽型の外扉２５を設けたから、動物収容室１Ｂ内の人の動き等が愛玩動物に無用な不安を与えるのを防止して安心感を与えることができるし、外扉２５は鍵付きであるから愛玩動物を盗難から守ることができる。なお、本実施の形態では扉本体２５を透明の合成樹脂製にしたが木製にしてもよく、また両者を混用してもよい。このようにすることにより、暗い環境が気になる犬猫に対応することや、明るい環境とか人の出入りが気になる犬猫に夫々対応できるようにすることができる。
【００１９】
　更に、２７、２８は上段の各動物収容ケージ２１の上方に位置してケージ枠体２２に一体に構成した一対の収納庫を示し、該各収納庫２７（２８）は飼い主が愛玩動物に使用するタオル、餌、引き綱等を収納するためのものである。そして、一側の収納庫２７は下段の動物収容ケージ２２用とし、他側の収納庫２８は上段の動物収容ケージ２２用としてあり、各収納庫２７（２８）は扉２７Ａ（２８Ａ）によって施蓋できるようにしてあり、利用者の要求に応じて施錠できるように鍵付きにしてもよい。
【００２０】
　かくして、建屋１の動物収容室１Ｂの一側には多数の動物収容ケージ２１、２１、、・・・が設置してあり、他側スペースは通路にしてある。
【００２１】
　２９、２９、・・・は各動物収容ケージ２１毎の換気を行うために後壁パネル４に設置したケージ換気扇で、該ケージ換気扇２９は臭いに敏感な犬や猫を臭気から解放して快適な環境を確保するようにしてある。また、３０は動物収容室１Ｂ全体の換気を行うために右壁パネル６に設けた建屋内換気装置である。
【００２２】
　本実施の形態からなる犬猫類愛玩動物預り用施設は上述の構成からなっており、建屋１は組立式プレハブ構造にしてあるから、観光シーズンのホテル等の宿泊施設や、屋外のイベント会場等のように常設でない一時的な施設として必要に応じて運搬して適宜の場所に設置し、使用することができる。
【００２３】
　犬や猫を預ける飼い主は、施設管理者に利用の手続きを行い、動物収容ケージ２１の鍵を受け取り、該当する動物収容ケージ２１に愛玩動物を収容する。引出状トレー２３にタオル等を敷くことにより愛玩動物は快適な時間を持てることができるし、排泄物の処理を容易に行うことができるという利点がある。
【００２４】
　各動物収容ケージ２１は内側を通気性扉２４にすると共に外扉２５の下側には通気口２６を形成してあり、かつケージ換気扇２９を設けてあるから、動物収容ケージ２１内に異臭がこもったりするのを解消することができ、愛玩動物にストレスを与える事態を解決できる。また、建屋１の動物収容室１Ｂには建屋用換気装置３０を設けてあるから、動物収容室１Ｂの全体に動物臭がこもるといった事態も解消できる。
【００２５】
　愛玩動物の排泄物により汚れたタオル等は、飼い主自身が洗浄・殺菌用シンク１１で洗浄し、殺菌剤により殺菌処理することにより、安心して再使用することができるから、特に旅行中には至便である。また、引出状トレー２３に排泄された糞は糞尿処理槽１３に投入するだけでよいから、飼い主に糞尿処理のための負担を掛けることがない。他方、施設管理者は糞尿処理槽１３内の投入された糞尿が適当な量になったら、糞尿処理槽１３を開口部４Ａから屋外に引出し、小型クレーン等の適宜の作業機を利用して処理槽本体１６を新しい処理槽本体１６と交換すればよいので、作業性に優れている。
【００２６】
　なお、本実施の形態では、建屋１を設置する場所によっては後側にスペースを確保できない場合があるから、後壁パネル４に開口部４Ａと扉４Ｂを設けてあっても、出入り口５Ａから処理槽本体１６を出し入れしてもよいし、後壁パネル４に開口部４Ａと扉４Ｂを設けない構成にしてもよい。
【産業上の利用可能性】
【００２７】
　犬や猫等の愛玩動物を一時的に預けたり、或は宿泊させるのに好適に構成してあるから、愛玩動物は快適な時間を持つことができるし、飼い主も安心して愛玩動物を預けて離れた行動ができることから、観光地、ホテル・旅館等の宿泊施設、イベント会場等に臨時に設置して使用するといった多様な利用の仕方が考えられる。
【図面の簡単な説明】
【００２８】
【図１】犬猫類愛玩動物預り用施設の外観斜視図である。
【図２】犬猫類愛玩動物預り用施設の内部構造を示す平面図である。
【図３】図２中のＩＩＩ−ＩＩＩ矢示方向部分断面図である。
【図４】糞尿処理槽を一部を破断にして示す斜視図である。
【図５】動物収容ケージの外観斜視図である。
【図６】動物収容ケージの縦断面図である。
【符号の説明】
【００２９】
１　　　　建屋
１１　　　洗浄・殺菌用シンク
１３　　　糞尿処理槽
２１　　　動物収容ケージ
２３　　　引出状トレー
２４　　　通気性扉
２５　　　外扉
２６　　　通気口
２９　　　ケージ換気扇
【図１】
0003099635.tif 000003
【図２】
0003099635.tif 000004
【図３】
0003099635.tif 000005
【図４】
0003099635.tif 000006
【図５】
0003099635.tif 000007
【図６】
0003099635.tif 000008